(57)【要約】    【課題】子供向けの椅子として、回転椅子および木製椅子の長所を兼ね備えた椅子が望まれていた。    【解決手段】ハイブリッドチェアー１は、座板２が１本の支柱３で支えられている。座板２の高さ調整は、操作ハンドル１３を操作することによりガスシリンダの作用で容易に行える。一方、脚ベース４、一対のバー５および背板６の構成は、従来の木製椅子の形態が採用されており、全体として安定性の良い構成が実現されている。このように、ハイブリッドチェアー１は、従来の回転椅子の長所および木製椅子の長所が取り出されて構築された新規な構造形態をしている。【選択図】            図１
2007054183.tif 000002
【特許請求の範囲】
【請求項１】
着座者の尻を載せるための座板と、
座板を回転自在に、かつ、昇降可能に支えるために垂直に上下に延びていて、上端が座板の下面中央に連結されている支柱と、
前後に水平に延びる左フレーム、前後に水平に延びる右フレーム、ならびに、左フレームおよび右フレーム間を連結している連結フレームを含み、連結フレームの左右方向中央部に前記支柱の下端が取り付けられている脚ベースと、
左フレームの前方下部および後方下部ならびに右フレームの前方下部および後方下部にそれぞれ取り付けられ、脚ベースを床面に沿って移動可能にしている４つのキャスターと、
左フレームの前端から後方に向かって斜め上方へ立ち上がった左バー、および、右フレームの前端から後方に向かって斜め上方へ立ち上がった右バーを有し、各バーは、それぞれ、前記座板の左右側縁と干渉して、座板が回転するのを防止している左右一対のバーと、
左右一対のバーの上端によって左右両側が支持され、左右一対のバーの上端間をつなぐように設けられている背板と、
を含むことを特徴とするハイブリッドチェアー。
【請求項２】
前記支柱は、上下の長さを可変できるガスシリンダ式伸縮ユニットを含むことを特徴とする、請求項１記載のハイブリッドチェアー。
【請求項３】
前記支柱の下方には、支柱から前方に張り出し、着座者が足を載せられる足台が取り付けられていることを特徴とする、請求項１または２記載のハイブリッドチェアー。
【請求項４】
前記連結フレームには、後方側に、物を載せる載置面が備えられていることを特徴とする、請求項１〜３のいずれかに記載のハイブリッドチェアー。
【発明の詳細な説明】
【技術分野】
【０００１】
この発明は、木製椅子の長所および回転椅子の長所が兼ね備えられた新規な形態の椅子、すなわちハイブリッドチェアーに関し、特に、学習机等に向かって座る子供向けハイブリッドチェアーに関する。
【背景技術】
【０００２】
学習机等に向かって座る子供用の椅子は、現状、回転椅子が約７割、木製椅子が約３割の割合で市場に出ている。
子供用の椅子という観点から見た回転椅子および木製椅子は、それぞれ、一長一短を有する。
回転椅子は、ガスシリンダにより座板の高さを簡単に調整可能であるとともに、座板は、布張りタイプ、合成レザータイプ等で座り心地が良い。また椅子全体は、キャスターで移動自在で、座板も回転自在であるから、着座時の適応性が良いという利点がある。
【０００３】
ところが、これら利点は、体格の小さな子供にとっては、欠点になることがある。すなわち、座板に着座した子供の足が床に届かない場合は、キャスターによって移動自在な回転椅子を所望の位置にしたり、座板を所望の位置に向けたりしにくいという欠点がある。また、回転椅子は、通常、中心から放射状に広がった５本の脚で支持されているが、子供が座板上に乗って座板を回転させたり、傾けたりした際に、思わぬ方向に移動したり、転倒したりする危険性があった。
【０００４】
そこで、回転椅子に対して、足載せ台を取り付けたものが提案されている（特許文献１）。
一方、木製椅子は、その下端部が平面視矩形をしており、床面に安定して配置される。また、座板は自在に回転しないから、子供が座った時に座板を回転させて遊んだりせず、安全でかつ安定した構造をしている。ところが、木製椅子の場合は、子供の体格に合わせて座板の高さを調整する機構が、通常、ねじ等により行われる構成となっているため、その調整が面倒であるといった課題がある。この種の木製椅子は、特許文献２、３に開示されている。
【特許文献１】特開２００４−３２１６７２号公報
【特許文献２】特開２０００−２５３９６２号公報
【特許文献３】特開２００２−６５４１３号公報
【発明の開示】
【発明が解決しようとする課題】
【０００５】
この発明は、従来の回転椅子および木製椅子がそれぞれ有している長所のみを備え、子供や体格の小さな着座者に対して快適に使用可能なハイブリッドチェアーを提供することを主たる目的とする。
この発明は、また、木製椅子のデザインを基本にし、座板の上下調整が容易で、かつ椅子全体が前後移動可能で、かつ、安定性のよいハイブリッドチェアーを提供することを他の目的とする。
【課題を解決するための手段】
【０００６】
請求項１記載の発明は、着座者の尻を載せるための座板と、座板を回転自在に、かつ、昇降可能に支えるために垂直に上下に延びていて、上端が座板の下面中央に連結されている支柱と、前後に水平に延びる左フレーム、前後に水平に延びる右フレーム、ならびに、左フレームおよび右フレーム間を連結している連結フレームを含み、連結フレームの左右方向中央部に前記支柱の下端が取り付けられている脚ベースと、左フレームの前方下部および後方下部ならびに右フレームの前方下部および後方下部にそれぞれ取り付けられ、脚ベースを床面に沿って移動可能にしている４つのキャスターと、左フレームの前端から後方に向かって斜め上方へ立ち上がった左バー、および、右フレームの前端から後方に向かって斜め上方へ立ち上がった右バーを有し、各バーは、それぞれ、前記座板の左右側縁と干渉して、座板が回転するのを防止している左右一対のバーと、左右一対のバーの上端によって左右両側が支持され、左右一対のバーの上端間をつなぐように設けられている背板と、を含むことを特徴とするハイブリッドチェアーである。
【０００７】
請求項２記載の発明は、前記支柱は、上下の長さを可変できるガスシリンダ式伸縮ユニットを含むことを特徴とする、請求項１記載のハイブリッドチェアーである。
請求項３記載の発明は、前記支柱の下方には、支柱から前方に張り出し、着座者が足を載せられる足台が取り付けられていることを特徴とする、請求項１または２記載のハイブリッドチェアーである。
【０００８】
請求項４記載の発明は、前記連結フレームには、後方側に、物を載せる載置面が備えられていることを特徴とする、請求項１〜３のいずれかに記載のハイブリッドチェアーである。
【発明の効果】
【０００９】
請求項１記載の発明によれば、座板は、従来の回転椅子と同様、支柱により回転自在に支えられており、かつ、その高さを調整できるように、昇降可能にされている。
一方、脚ベースは、左フレームおよび右フレームならびに連結フレームを有し、平面視において、前後および左右の四隅に左右フレームの端部が位置している。このような脚ベースによって支柱の下端が支持されているから、座板は安定して支えられている。そして、脚ベースの前後および左右の四隅にはキャスターが備えられているから、椅子全体は床面上を容易に移動可能になっている。
【００１０】
また、左右フレームの前端から後方に向かって斜め上方に立ち上がった左右バーは、座板の左右側縁と干渉して、座板が回転するのを防止している。
座板および支柱は、従来の回転椅子の構成を用いて作ることができ、しかも座板が自由に回転するのを簡単な構成で防止することができる。そして左右一対のバーは、背板を支える役目をしており、全体形状が、従来の木製椅子の形状をベースとして、従来の回転椅子の機能が付加された椅子となっている。
【００１１】
かかる椅子は、子供や体格な小さな着座者に対して使い勝手が良い。
請求項２記載の発明では、ガスシリンダにより座板の高さを容易にかつ自由に調整することができる。
請求項３記載の発明では、特に体格の小さな着座者が、床に足が届かない場合に、その足を載せることができ、便利である。
【００１２】
請求項４記載の発明では、連結フレームの後方を利用して、従来の木製椅子のように、空間の有効利用が図れ、小物等を収容することができる。
以上のように、この発明は、回転椅子の長所と木製椅子の長所とを備えた使い勝手の良いハイブリッドチェアーとすることができる。
【発明を実施するための最良の形態】
【００１３】
以下には、図面を参照して、この発明の具体的な実施形態について説明をする。
図１は、この発明の一実施形態に係るハイブリッドチェアーの斜視図である。ハイブリッドチェアー１は、着座者が尻を載せる座板２と、座板２を支えている１本の支柱３と、支柱３を支えている脚ベース４と、脚ベース４の前方から後方に向かって斜め上方へ立ち上がっている一対のバー５と、バー５の上端間に備えられた背板６と、脚ベース４の下面に取り付けられたキャスター７と、支柱３に取り付けられた足置き台８とを有している。      
【００１４】
ハイブリッドチェアー１の特徴は、座板２が１本の支柱３で支えられており、従来の回転椅子と同様に、座板２の高さ調整が容易に行えること、および、脚ベース４、一対のバー５および背板６の構成は、従来の木製椅子の形態が採用されており、全体として安定性の良い構成が実現されていることである。つまり、ハイブリッドチェアー１は、従来の回転椅子の長所および木製椅子の長所が取り出されて構築された新規な構造形態をしている。
【００１５】
図２は、ハイブリッドチェアー１の正面図であり、図３は、ハイブリッドチェアー１の右側面図である。
図１〜図３を参照して、ハイブリッドチェアー１の座板２は、平面視が角が丸まった略正方形状をしており、その上面は、着座者の尻を安定に、かつ、弾力的に支えられるように、たとえば布製カバーで覆われている。布製カバー内には、ウレタンその他の弾性体が配置されている。
【００１６】
座板２の下方には、座板２を支える支柱３が設けられている。支柱３は、垂直に上下に延びるベース筒９と、ベース筒９と同軸に備えられており、ベース筒９の上方に延び出たシャフト１０とを含んでいる。そしてシャフト１０の上端は、座板２の下面中央に、高さ調整操作部１１を介して連結されている。ベース筒９の下方は取付部材１２を用いて、脚ベース４の中央（平面視における中央部）に取り付けられている。
【００１７】
高さ調整操作部１１には操作ハンドル１３が備えられており、この操作ハンドル１３を操作することにより、支柱３は内蔵されたガスシリンダの作用で、シャフト１０のベース筒９からの突出量を調整できる。従って座板２の高さを、図２、３に示すように、実線の高さから２点鎖線で示す高さ等に変更することができる。
このように、座板２は、従来の回転椅子に備えられているものと同様の支柱で支えられており、ガスシリンダ機構を利用して、容易にその高さを調整できる。
【００１８】
また、支柱３は、座板３を回転自在に支持している。しかし、後述するように、座板２の回転は、一対のバー５によって阻止されており、座板２が自由に回転することにより着座者が座った時の方向が安定しないという事態が防止されている。
図４は、脚ベース４の平面図である。脚ベース４には、前後に水平に直線状に延びる左フレーム１４と、前後に水平に直線状に延びる右フレーム１５と、左フレーム１４および右フレーム１５間を連結している水平な連結フレーム１６とを含んでいる。連結フレーム１６は、前方側に配置され、左フレーム１４の前端から水平に斜め後方に中央へ向かって延びる左連結フレーム１７と、右フレーム１５の前端から水平に斜め後方に中央へ向かって延びる右連結フレーム１８と、左連結フレーム１７および右連結フレーム１８の合流部に設けられた支柱３の取付部材１２等を備えている。連結フレーム１６には、さらに、左フレーム１４および右フレーム１５間の後方側を連結する平面視長方形状で、浅い皿形をした載置台フレーム２０が含まれている。
【００１９】
かかる形態の脚ベース４は、各フレームを別体で構成することができるが、この実施形態では、これら各フレームは樹脂材料によって一体物として成形されている。
載置台フレーム２０の上面は、物を置いた時に滑りにくいように、多数の円形をした小さな凹または凸が形成されている。
図２〜４を参照して、左フレーム１４および右フレーム１５の前端には、上方へ隆起したバー取付部２１、２２が設けられている。そしてバー取付部２１には、左フレーム１４の前端から後方に向かって斜め上方へ立ち上がるように左バー５が取り付けられている。同様に、右フレーム１５のバー取付部２２には、右フレーム１５の前端から後方に向かって斜め上方へ立ち上がるようにバー５が取り付けられている。
【００２０】
一対のバー５の上端には、背板６の両端が取り付けられている。背板６は、一対のバー５の上端間をつなぐように設けられている。
この実施形態では、背板６の左右両側には、それぞれ、ロックボタン２３が設けられている。このロックボタン２３を押圧した状態では、背板６を一対のバー５に沿って斜め上下に変位させることができる。つまり、背板６の高さを調整できる構造になっている。
【００２１】
ところで、前方から後方に斜め上方へ立ち上がる一対のバー５は、座板２の両側に配置されており、座板２の左右側縁に近接または当接している。このため、座板２を回転させようとしたとき、座板２の左右側縁が一対のバー５と干渉し、その回転が阻止されている。
脚ベース４の下面には、その四隅に、それぞれ、キャスター７が取り付けられている。より具体的には、左フレーム１４の下面側の前端および後端、ならびに、右フレーム１５の下面側の前端および後端に、それぞれ、キャスター７が設けられている。従ってハイブリッドチェアー１は床面に沿ってキャスターにより軽く移動可能である。
【００２２】
この実施形態に係るハイブリッドチェアー１には、さらに、足置き台８が備えられている。足置き台８は、着座者が体格の小さな子供で、着座者の足が床面まで届かない場合に、足を載せるために設けられたものである。
図５に、足置き台８の平面図を示す。足置き台８は、たとえば樹脂で成形されていて、取付部２４と、取付部２４の前方に張り出したアーム２５と、アーム２５の先端に左右方向に延びている足台２６とを有している。取付部２４には、支柱３のベース筒９が通される取付孔２７が形成されている。そして取付孔２７に通されたベース筒９と取付部２４とを相互に動かないようにするために、固定ねじ２８が備えられている。
【００２３】
なお、足置き台８は、着座者が子供等の体格の小さな者でない場合には、取り外すことも可能である。
この発明に係るハイブリッドチェアーは、上述した実施形態の内容に限定されるものではなく、請求項記載の範囲内において種々の変更が可能である。
【図面の簡単な説明】
【００２４】
【図１】この発明の一実施形態に係るハイブリッドチェアーの斜視図である。
【図２】ハイブリッドチェアーの正面図である。
【図３】ハイブリッドチェアーの右側面図である。
【図４】脚ベースの平面図である。
【図５】足置き台の平面図である。
【符号の説明】
【００２５】
１    ハイブリッドチェアー
２    座板
３    支柱
４    脚ベース
５    バー
６    背板
７    キャスター
８    足置き台
１４    左フレーム
１５    右フレーム
１６    連結フレーム
２０    載置台フレーム
２６    足台
【図１】
2007054183.tif 000003
【図２】
2007054183.tif 000004
【図３】
2007054183.tif 000005
【図４】
2007054183.tif 000006
【図５】
2007054183.tif 000007